(57)【要約】  【課題】  電気部品の結露を防止するとともに内容積を増加できる冷蔵庫を提供する。  【解決手段】  前面を開口して床面に設置されるとともに発泡樹脂製の断熱材５を充填した外壁２を有する本体筐体１と、本体筐体１の上方に突出して本体筐体１の上面に配されるとともに制御基板１１等の電気部品を収納する電気部品収納部１０とを備えた。【選択図】      図１
2006207905.tif 000002
【特許請求の範囲】
【請求項１】
前面を開口して床面に設置されるとともに発泡樹脂製の断熱材を充填した外壁を有する本体筐体と、前記本体筐体の上方に突出して前記本体筐体の上面に配されるとともに電気部品を収納する電気部品収納部とを備えたことを特徴とする冷蔵庫。
【請求項２】
前記本体筐体の背面上端に凹部を設け、前記凹部を介して前記断熱材内に配される配線を前記電気部品に接続したことを特徴とする請求項１に記載の冷蔵庫。
【請求項３】
上面及び下面に前記配線を挿通する挿通部を有した配線収納箱を前記凹部に取り付けたことを特徴とする請求項２に記載の冷蔵庫。
【請求項４】
前記配線収納箱は複数の前記配線を仕切板により仕切って収納できる収納部を有することを特徴とする請求項３に記載の冷蔵庫。
【請求項５】
前記本体筐体の運搬時に把持する取っ手部を前記配線収納箱の上面に一体成形したことを特徴とする請求項３または請求項４に記載の冷蔵庫。
【請求項６】
前記電気部品収納部の上面を覆うとともに前記挿通部を覆う上蓋を備えたことを特徴とする請求項３〜請求項５のいずれかに記載の冷蔵庫。
【発明の詳細な説明】
【技術分野】
【０００１】
本発明は、制御基板等の電気部品を本体筐体の外面に配置した冷蔵庫に関する。
【背景技術】
【０００２】
従来の冷蔵庫は特許文献１に開示されている。この冷蔵庫は床面に設置される本体筐体の前面開口部を扉により開閉する。本体筐体は発泡樹脂製の断熱材を充填した外壁で囲まれる。外壁の上面後部には凹部が形成され、凹部により制御基板等の電気部品を収納する電気部品収納部が構成されている。制御基板は断熱材中に挿通される配線により圧縮機や送風機等の外部電気部品と接続され、制御基板の制御によって冷蔵庫が運転される。
【特許文献１】特開平５−８７４４３号公報（第２頁−第４頁、第２図）
【発明の開示】
【発明が解決しようとする課題】
【０００３】
しかしながら、上記従来の冷蔵庫によると、凹部の周囲に配される断熱材は制御基板等の電気部品の結露を防止するために所定の厚みを必要とする。このため、本体筐体は電気部品収納部によって貯蔵室の内面側に突出して貯蔵室の内容積が狭くなる問題があった。
【０００４】
本発明は、電気部品の結露を防止するとともに内容積を増加できる冷蔵庫を提供することを目的とする。
【課題を解決するための手段】
【０００５】
上記目的を達成するために本発明は、前面を開口して床面に設置されるとともに発泡樹脂製の断熱材を充填した外壁を有する本体筐体と、前記本体筐体の上方に突出して前記本体筐体の上面に配されるとともに電気部品を収納する電気部品収納部とを備えたことを特徴としている。
【０００６】
この構成によると、本体筐体の断熱材から成る上壁の上面が例えば平坦面に形成され、該上面の上に制御基板等の電気部品を収納する電気部品収納部が設置される。圧縮機や送風機等の外部電気部品に接続される配線は、電気部品収納部内の電気部品に接続される。電気部品収納部の一部を本体筐体の上壁に埋設してもよい。
【０００７】
また本発明は、上記構成の冷蔵庫において、前記本体筐体の背面上端に凹部を設け、前記凹部を介して前記断熱材内に配される配線を前記電気部品に接続したことを特徴としている。この構成によると、本体筐体の内面側は一般に背面上端が曲面に形成され、断熱材の厚みを厚く確保した状態で外面側の背面上端に凹部が形成される。外部電気部品に接続される配線は断熱材内に挿通され、凹部に突出した配線が電気部品収納部内の電気部品に接続される。
【０００８】
また本発明は、上記構成の冷蔵庫において、上面及び下面に前記配線を挿通する挿通部を有した配線収納箱を前記凹部に取り付けたことを特徴としている。この構成によると、凹部に突出する配線は下面の挿通部を介して配線収納箱内に入り、上面の挿通部から出て電気部品収納部内に入る。
【０００９】
また本発明は、上記構成の冷蔵庫において、前記配線収納箱は複数の前記配線を仕切板により仕切って収納できる収納部を有することを特徴としている。この構成によると、複数の配線が下面の挿通部を介して配線収納箱内に入る。本体筐体の周囲を型枠で囲んで断熱材を発泡する際に各配線は仕切板で仕切られた収納部に収納される。
【００１０】
また本発明は、上記構成の冷蔵庫において、前記本体筐体の運搬時に把持する取っ手部を前記配線収納箱の上面に一体成形したことを特徴としている。この構成によると、本体筐体の上面後端に設けた取っ手部を把持して冷蔵庫が運搬される。
【００１１】
また本発明は、上記構成の冷蔵庫において、前記電気部品収納部の上面を覆うとともに前記挿通部を覆う上蓋を備えたことを特徴としている。
【発明の効果】
【００１２】
本発明によると、電気部品収納部を本体筐体の上方に突出して本体筐体の上面に配したので、通常空間が設けられる本体筐体の上方に突出して電気部品収納部が配置される。これにより、本体筐体の上壁は内面側に突出することなく充分な厚みが確保される。従って、電気収納部内の電気部品の結露を防止できるとともに貯蔵室の内容積を増加することができる。
【００１３】
また本発明によると、本体筐体の背面上端に設けた凹部を介して断熱材内に配される配線を電気収納部内の電気部品に接続したので、本体筐体の周囲を型枠で囲んで断熱材を発泡する際に配線を凹部内に収納することができる。従って、配線の挟み込みを防止して断熱材の発泡作業を簡単に行うことができる。また、本体筐体の内面の背面上部が通常曲面に形成されるため、凹部を設けても断熱材の厚みを充分確保することができる。
【００１４】
また本発明によると、上面及び下面に配線を挿通する挿通部を有した配線収納箱を凹部に取り付けたので、本体筐体の背面上端を配線収納箱で覆って配線が露出せず美感を向上することができる。また、本体筐体の周囲を型枠で囲んで断熱材を発泡する際に配線収納箱内に配線を収納することができ、断熱材の発泡作業をより簡単に行うことができる。
【００１５】
また本発明によると、配線収納箱は複数の配線を仕切板により仕切って収納できる収納部を有するので、断熱材の発泡作業時に各収納部に分けて配線を収納することにより、発泡後配線を容易に取り出して電気収納部内の電気部品に接続することができる。
【００１６】
また本発明によると、本体筐体の運搬時に把持する取っ手部を配線収納箱の上面に一体成形したので、部品点数を削減することができる。
【００１７】
また本発明によると、電気部品収納部の上面を覆うとともに挿通部を覆う上蓋を備えたので、電気部品及び配線を覆って美感を向上することができる。
【発明を実施するための最良の形態】
【００１８】
以下に本発明の実施形態を図面を参照して説明する。図１、図２、図３は一実施形態の冷蔵庫の本体筐体を示す側面断面図、上面図、背面図である。床面に設置される本体筐体１は前面開口部を扉（不図示）により開閉される。本体筐体１を囲む外壁２は樹脂成形品から成る内箱３及び外箱４の間に発泡樹脂から成る断熱材５を充填して形成される。
【００１９】
本体筐体１の上壁１ａは上面が平坦面から成り、上壁１ａの上面の後部には電気部品収納部１０が設けられる。電気部品収納部１０は樹脂から成る支持板（不図示）上に設置される制御基板１１や温度センサ９等の電子部品を収納し、上壁１ａから上方に突出して設けられる。
【００２０】
本体筐体１の背面上端には凹部１ｂが形成される。本体筐体１の内面側の背面上端のコーナー１ｃは曲面に形成される。このため、本体筐体１の外面側に凹部１ｂを設けても充分な断熱材５の厚みを確保して電気部品の結露を発生させないようになっている。凹部１ｂには配線収納箱６が取り付けられている。
【００２１】
図４は配線収納箱６を示す斜視図である。樹脂成形品から成る配線収納箱６は前面を開口し、下面及び上面に切欠きから成る挿通部６ａ、６ｂが設けられる。断熱材５中に挿通して外壁２から上方に凹部１ｂに突出する配線７は下面の挿通部６ａを介して配線収納箱６内に入る。配線７は上面の挿通部６ｂを介して配線収納箱６から出て電気部品収納部１０に入る。電気部品収納部１０に入る配線７によって制御基板１１が圧縮機や送風機等（いずれも不図示）の外部電気部品と接続され、制御基板１１の制御によって冷蔵庫が運転される。
【００２２】
配線収納箱６により本体筐体１の背面上端を覆って配線７が露出しないため、冷蔵庫の美感を向上することができる。また、図１に示すように、電気部品収納部１０を覆う上蓋１２により挿通部６ｂが覆われる。これにより、配線７を露出させずに冷蔵庫の美感をより向上することができる。尚、挿通部６ａ、６ｂを孔により形成してもよい。
【００２３】
図４において、配線収納箱６の上面の両端には開口を有した取っ手部１４が設けられる。本体筐体１の上面後端に設けられる取っ手部１４を把持することにより、冷蔵庫が傾斜して運搬される。従って、取っ手部１４を配線収納箱６と一体成形することにより別部材で取っ手部を設ける必要がなく、部品点数を削減することができる。
【００２４】
配線収納箱６内にはリブから成る仕切板６ｃにより仕切られた収納部１３が設けられる。本体筐体１は外壁２の外面側及び内面側を型枠で囲んで断熱材５を発泡する。この時、断熱材５から突出する複数の配線７は、図３に一点鎖線で示すように、それぞれ収納部１３に束ねて収納される。
【００２５】
配線７を凹部１ｂ内に収納するため、型枠と本体筐体１との間に配線７を挟むことなく、容易に断熱材５の発泡作業を行うことができる。また、配線収納箱６内に配線７を収納するので、本体筐体１を型枠で囲む際に凹部１ｂから配線７が飛び出すことがなく、より簡単に発泡作業を行うことができる。加えて、複数の配線７をそれぞれ仕切板６ｃで仕切られた収納部１３に収納することにより、断熱材５の発泡後に各配線７を絡まることなく容易に挿通部６ｂから取り出すことができる。
【００２６】
本発明によると、本体筐体１の前面側開口部の上端は一般的な身長の使用者の手が届く範囲の高さに決められており、本体筐体１の上方は一般に空間になっている。電気部品収納部１０は本体筐体１の上面から突出して設けられるので、本体筐体１の上壁１ａを内面側に突出させることなく厚みを確保することができる。従って、電気収納部１０内の電気部品の結露を防止できるとともに貯蔵室の内容積を増加することができる。尚、電気部品収納部１０の一部を上壁１ａに埋設してもよい。
【産業上の利用可能性】
【００２７】
本発明は、制御装置等の電気部品を本体筐体の外面に配置した冷蔵庫に利用することができる。
【図面の簡単な説明】
【００２８】
【図１】本発明の実施形態の冷蔵庫の本体筐体を示す側面断面図
【図２】本発明の実施形態の冷蔵庫の本体筐体を示す上面図
【図３】本発明の実施形態の冷蔵庫の本体筐体を示す背面図
【図４】本発明の実施形態の冷蔵庫の配線収納箱を示す斜視図
【符号の説明】
【００２９】
１    本体筐体
１ａ  上壁
１ｂ  凹部
２    外壁
３    内箱
４    外箱
５    断熱材
６    配線収納箱
７    配線
１０    電気部品収納部
１１    制御基板
１２    上蓋
１３    収納部
１４    取っ手部
【図１】
2006207905.tif 000003
【図２】
2006207905.tif 000004
【図３】
2006207905.tif 000005
【図４】
2006207905.tif 000006